(57)【要約】【課題】１つの支持部材がカメラを固定すると共にサブプリント基板を支持することにより、部品点数を減らして組立工程を単純化して製造コストを低減すると共に、端末機を小型化できる、カメラを有する携帯端末機を提供すること。【解決手段】カメラを有する携帯端末機は、端末機本体と、端末機本体に内蔵されるメインプリント基板と、メインプリント基板に固定され、カメラとサブプリント基板がそれぞれ装着される支持部材とを含む。【選択図】図１
2007049704.tif 000002
【特許請求の範囲】
【請求項１】
端末機本体と、
前記端末機本体に内蔵されるメインプリント基板と、
前記メインプリント基板に固定され、カメラとサブプリント基板がそれぞれ装着される支持部材と、
を含むことを特徴とする携帯端末機。
【請求項２】
前記支持部材は、その全面にＥＭＩ塗料が塗布されることを特徴とする請求項１に記載の携帯端末機。
【請求項３】
前記支持部材は、
その前面にカメラが固定され、その背面が前記メインプリント基板に装着される本体と、
前記本体の外周面に形成されて前記サブプリント基板が支持されるサブプリント基板支持部と、
から構成されることを特徴とする請求項１に記載の携帯端末機。
【請求項４】
前記本体は、その周方向に前記カメラを保護するリブが突出し、前記カメラが接着部材により固定されることを特徴とする請求項３に記載の携帯端末機。
【請求項５】
前記接着部材が導電性物質で形成されることを特徴とする請求項４に記載の携帯端末機。
【請求項６】
前記サブプリント基板支持部が、前記本体の外周面から突出して形成され、前記サブプリント基板に形成された貫通孔の周辺を支持することを特徴とする請求項３に記載の携帯端末機。
【請求項７】
前記サブプリント基板支持部と前記サブプリント基板との間に、衝撃を吸収する緩衝部材が設置されることを特徴とする請求項６に記載の携帯端末機。
【請求項８】
前記本体の背面が接着部材により前記メインプリント基板に接着されることを特徴とする請求項３に記載の携帯端末機。
【請求項９】
前記接着部材が導電性物質で形成されることを特徴とする請求項８に記載の携帯端末機。
【請求項１０】
前記メインプリント基板には、前記支持部材が装着される部位にグランド部が形成されることを特徴とする請求項３に記載の携帯端末機。
【請求項１１】
前記メインプリント基板と前記支持部材には、前記支持部材が前記メインプリント基板に装着される際に前記支持部材の装着位置をガイドする位置ガイド部が形成されることを特徴とする請求項３に記載の携帯端末機。
【請求項１２】
前記位置ガイド部は、
前記メインプリント基板に形成される複数のガイドホールと、前記支持部材に形成されて前記それぞれのガイドホールに挿入される複数のガイド突起と、
から構成されることを特徴とする請求項１１に記載の携帯端末機。
【発明の詳細な説明】
【技術分野】
【０００１】
本発明はカメラを有する携帯端末機に関し、特に、カメラとサブプリント基板をメインプリント基板に固定することにより、部品点数を減らして組立工程を単純化すると共に端末機を小型化できる、カメラを有する携帯端末機に関する。
【背景技術】
【０００２】
最近、携帯端末機は、消費者の多様な欲求を満たすために、基本的な通話機能の他に各種の付加機能を備えた端末機が開発されて商用化されている。例えば、被写体を撮影するためのカメラ、音楽を再生するためのＭＰ３プレーヤ、近距離に配置される通信機器と無線通信できるようにするブルートゥース装置などの各種の付加機能が追加された携帯端末機が増加している。
【０００３】
図５は従来の携帯端末機の分解斜視図である。
【０００４】
図５に示すように、従来の携帯端末機は、ディスプレイ１０２が備えられたディスプレイユニット１０４と、ディスプレイユニット１０４にヒンジ連結部１０６により回動可能に連結される端末機本体１１０とから構成される。
【０００５】
端末機本体１１０は、ディスプレイユニット１０４に回動可能に連結されるフロントカバー１１２と、フロントカバー１１２に締結されるリヤカバー１１４と、フロントカバー１１２とリヤカバー１１４との間に内蔵され、通信機能及び各種の付加機能に係るチップなどの部品が実装されるメインプリント基板１１６及びサブプリント基板１１８と、リヤカバー１１４に装着されて被写体を撮影するカメラ１２０とから構成される。
【０００６】
サブプリント基板１１８は、コネクタ（図示せず）によりメインプリント基板１１６に電気的に接続され、プリント基板支持部材１３０によりメインプリント基板１１６と所定間隔を維持してフロントカバー１１２及びリヤカバー１１４に固定される。
【０００７】
また、カメラ１２０は、リヤカバー１１４に形成されたカメラ装着部（図示せず）に挿入され、カメラ固定部材１２４によりリヤカバー１１４に固定されている。
【発明の開示】
【発明が解決しようとする課題】
【０００８】
しかし、このように構成された従来の携帯端末機は、サブプリント基板を固定するためのプリント基板支持部材、及びカメラを固定するためのカメラ固定部材を必要とするため、部品点数が増加して組立工程が複雑になると共に製造コストが増加するという問題があった。
【０００９】
また、プリント基板支持部材及びカメラ固定部材を端末機本体の内部に装着するための空間を確保しなければならないため、空間活用度が低下し、端末機のサイズが増加するという問題があった。
【００１０】
本発明は、このような従来技術の問題を解決するためになされたもので、１つの支持部材がカメラを固定すると共にサブプリント基板を支持することにより、部品点数を減らして組立工程を単純化して製造コストを低減すると共に、端末機を小型化できる、カメラを有する携帯端末機を提供することを目的とする。
【課題を解決するための手段】
【００１１】
このような目的を達成するために、本発明によるカメラを有する携帯端末機は、端末機本体と、前記端末機本体に内蔵されるメインプリント基板と、前記メインプリント基板に固定され、カメラとサブプリント基板がそれぞれ装着される支持部材とを含むことを特徴とする。
【００１２】
前記支持部材は、その全面にＥＭＩ塗料が塗布され、その前面にカメラが固定され、その背面が前記メインプリント基板に装着される本体と、前記本体の外周面に形成されて前記サブプリント基板が支持されるサブプリント基板支持部とから構成されることを特徴とする。
【００１３】
前記本体は、その周方向に前記カメラを保護するリブが突出し、前記カメラが接着部材により固定されることを特徴とする。
【００１４】
前記サブプリント基板支持部は、前記本体の外周面から突出して形成され、前記サブプリント基板に形成された貫通孔の周辺を支持することを特徴とする。
【００１５】
上記目的を達成するために、本発明は、例えば、以下の手段を提供する。
（項目１）
端末機本体と、
前記端末機本体に内蔵されるメインプリント基板と、
前記メインプリント基板に固定され、カメラとサブプリント基板がそれぞれ装着される支持部材と、
を含むことを特徴とする携帯端末機。
（項目２）
前記支持部材は、その全面にＥＭＩ塗料が塗布されることを特徴とする項目１に記載の携帯端末機。
（項目３）
前記支持部材は、
その前面にカメラが固定され、その背面が前記メインプリント基板に装着される本体と、
前記本体の外周面に形成されて前記サブプリント基板が支持されるサブプリント基板支持部と、
から構成されることを特徴とする項目１に記載の携帯端末機。
（項目４）
前記本体は、その周方向に前記カメラを保護するリブが突出し、前記カメラが接着部材により固定されることを特徴とする項目３に記載の携帯端末機。
（項目５）
前記接着部材が導電性物質で形成されることを特徴とする項目４に記載の携帯端末機。
（項目６）
前記サブプリント基板支持部が、前記本体の外周面から突出して形成され、前記サブプリント基板に形成された貫通孔の周辺を支持することを特徴とする項目３に記載の携帯端末機。
（項目７）
前記サブプリント基板支持部と前記サブプリント基板との間に、衝撃を吸収する緩衝部材が設置されることを特徴とする項目６に記載の携帯端末機。
（項目８）
前記本体の背面が接着部材により前記メインプリント基板に接着されることを特徴とする項目３に記載の携帯端末機。
（項目９）
前記接着部材が導電性物質で形成されることを特徴とする項目８に記載の携帯端末機。
（項目１０）
前記メインプリント基板には、前記支持部材が装着される部位にグランド部が形成されることを特徴とする項目３に記載の携帯端末機。
（項目１１）
前記メインプリント基板と前記支持部材には、前記支持部材が前記メインプリント基板に装着される際に前記支持部材の装着位置をガイドする位置ガイド部が形成されることを特徴とする項目３に記載の携帯端末機。
（項目１２）
前記位置ガイド部は、
前記メインプリント基板に形成される複数のガイドホールと、前記支持部材に形成されて前記それぞれのガイドホールに挿入される複数のガイド突起と、
から構成されることを特徴とする項目１１に記載の携帯端末機。
【発明の効果】
【００１６】
本発明によるカメラを有する携帯端末機は、メインプリント基板に固定される支持部材がカメラを固定すると共にサブプリント基板を支持することにより、部品点数を減らして製造工程を単純化して製造コストを低減すると共に、携帯端末機を小型化できるという効果がある。
【発明を実施するための最良の形態】
【００１７】
以下、添付の図面を参照して本発明によるカメラを有する携帯端末機の好ましい実施形態を説明する。
【００１８】
図１は本発明によるカメラを有する携帯端末機の分解斜視図であり、図２は本発明による支持部材の斜視図であり、図３は本発明による支持部材にカメラとサブプリント基板が装着された状態を示す正面図であり、図４は図３のＡ−Ａ線断面図である。
【００１９】
本発明によるカメラを有する携帯端末機は、ディスプレイ１２が備えられたディスプレイユニット１０と、ディスプレイユニット１０に開閉可能に連結され、前面にキーパッドが装着される端末機本体２０とから構成される。
【００２０】
端末機本体２０は、カバー２２、２４と、カバー２２、２４の内部に固定されて各種の回路部品が実装されるメインプリント基板２６と、メインプリント基板２６に固定されてカメラ２８とサブプリント基板３０が装着される支持部材３２とから構成される。
【００２１】
カバー２２、２４は、ディスプレイユニット１０にヒンジ連結部１４により回動可能に連結されるフロントカバー２２と、フロントカバー２２との間に空間を有してフロントカバー２２に締結されるリヤカバー２４とから構成される。
【００２２】
支持部材３２は、その前面にはカメラ２８が固定され、その背面はメインプリント基板２６に装着される本体４０と、本体４０の外周面に形成されてサブプリント基板３０が支持されるサブプリント基板支持部４２とから構成される。
【００２３】
このような支持部材３２は、その全面にＥＭＩ塗料が塗布され、メインプリント基板２６に接地される。従って、支持部材３２に装着されるカメラ２８をメインプリント基板２６に接地させて、カメラ２８から発生した静電気などがメインプリント基板２６を介して放電するようにする。
【００２４】
本体４０は、その前面に周方向に所定の高さを有するリブ４４が形成されて、カメラ２８を保護するように囲む。また、本体４０の前面には、カメラ２８が接着部材４６により接着される。
【００２５】
接着部材４６は、両面テープタイプの導電性物質で形成される。
【００２６】
サブプリント基板支持部４２は、本体４０の外周面から外側方向に突出してサブプリント基板３０が支持される。サブプリント基板３０には、サブプリント基板支持部４２に支持されるように、本体４０の外周面と同じサイズを有する貫通孔４８が形成され、本体４０の外周面が貫通孔４８に挿入されると、貫通孔４８の周面がサブプリント基板支持部４２に接触した状態となる。
【００２７】
支持部材３２は、メインプリント基板２６に装着される本体４０の背面とサブプリント基板３０が支持されるサブプリント基板支持部４２との間に所定の長さを有するため、サブプリント基板３０は、メインプリント基板２６と所定の間隔を維持した状態で配置される。また、サブプリント基板３０は、コネクタ（図示せず）によりメインプリント基板２６に電気的に接続される。
【００２８】
サブプリント基板支持部４２とサブプリント基板３０との接触面の間には緩衝部材５０が装着されて、衝撃などによりサブプリント基板３０が損傷するのを防止する。緩衝部材５０は、所定の厚さを有してサブプリント基板支持部４２の表面に接着されるゴム材質で形成されることが好ましい。
【００２９】
メインプリント基板２６には、支持部材３２と接触する部位にグランド部５２が形成されており、支持部材３２は、接着部材５４によりグランド部５２に接着される。ここで、接着部材５４は、両面テープタイプの導電性物質で形成される。
【００３０】
メインプリント基板２６と支持部材３２には、支持部材３２をメインプリント基板２６に接着する際に支持部材３２の装着位置をガイドする位置ガイド部６０、６２が形成される。位置ガイド部６０、６２は、メインプリント基板２６に形成される複数のガイドホール６０と、支持部材３２の背面に形成されてそれぞれのガイドホール６０に挿入される複数のガイド突起６２とから構成される。
【００３１】
以下、このように構成された本発明によるカメラを有する携帯端末機の組立工程を説明する。
【００３２】
まず、支持部材３２の本体４０の内部にカメラ２８を固定する。すなわち、カメラ２８の背面を接着部材４６により支持部材３２の本体４０の内部に接着する。
【００３３】
次に、支持部材３２をサブプリント基板３０に形成された貫通孔４８に挿入した後、支持部材３２のサブプリント基板支持部４２にサブプリント基板３０の貫通孔４８の周辺部を接触させる。ここで、サブプリント基板支持部４２には緩衝部材５０が接着されており、外部の衝撃を吸収する。
【００３４】
次に、支持部材３２の背面を接着部材５４によりメインプリント基板２６のグランド部５２に接着して固定すると組立が完了する。
【００３５】
このように組立が完了したメインプリント基板２６をカバー２２、２４に固定すると、カメラ２８のレンズ部がカバー２２に形成されたウィンドウに位置する。
【００３６】
支持部材３２にはＥＭＩ塗料が塗布され、接着部材４６、５４はそれぞれ導電性物質で形成されるため、カメラ２８とメインプリント基板２６のグランド部５２が接地された状態になり、カメラ２８から発生した静電気がメインプリント基板２６を介して放電する。
【００３７】
本発明の課題は、１つの支持部材がカメラを固定すると共にサブプリント基板を支持することにより、部品点数を減らして組立工程を単純化して製造コストを低減すると共に、端末機を小型化できる、カメラを有する携帯端末機を提供することである。
【００３８】
カメラを有する携帯端末機は、端末機本体と、端末機本体に内蔵されるメインプリント基板と、メインプリント基板に固定され、カメラとサブプリント基板がそれぞれ装着される支持部材とを含む。
【００３９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００４０】
【図１】本発明によるカメラを有する携帯端末機の分解斜視図である。
【図２】本発明による支持部材の斜視図である。
【図３】本発明による支持部材にカメラとサブプリント基板が装着された状態を示す正面図である。
【図４】図３のＡ−Ａ線断面図である。
【図５】従来の携帯端末機の分解斜視図である。
【符号の説明】
【００４１】
１０  ディスプレイユニット
２０  端末機本体
２６  メインプリント基板
２８  カメラ
３０  サブプリント基板
３２  支持部材
４０  本体
４２  サブプリント基板支持部
４６、５４  接着部材
５０  緩衝部材
５２  グランド部
６０  ガイドホール
６２  ガイド突起
【図２】
2007049704.tif 000003
【図３】
2007049704.tif 000004
【図４】
2007049704.tif 000005
【図５】
2007049704.tif 000006
【図１】
2007049704.tif 000007